(57)【特許請求の範囲】
【請求項１】
順序付けされた複数の画像データから選択された、所定の画像データの画像を表示する画像表示部と、
前記画像データの画像を被記録媒体に記録する画像記録部と、
プリンタ本体に設けられた取付面に取り付けられて、前記取付面上に載置された状態で待機可能、且つ、前記取付面と平行な回動軸を中心に回動可能に構成された、板状の操作部と、
前記操作部の回動動作を検出する回動動作検出手段と、
前記回動動作検出手段により検出された前記操作部の回動動作に基づいて、前記画像表示部に画像表示させる画像データを、前記複数の画像データの順序に従って切り替える表示画像切替手段と、
を備えていることを特徴とするプリンタ。
【請求項２】
前記回動動作検出手段により、前記操作部が、前記取付面上で待機した状態から回動が開始されたことが検出されたときには、前記表示画像切替手段は、前記複数の画像データのうちの最初のデータの画像を前記画像表示部に表示させることを特徴とする請求項１に記載のプリンタ。
【請求項３】
前記回動動作検出手段により、前記操作部が、所定速度未満の速度で回動されたことが検出された場合には、前記表示画像切替手段は、前記画像表示部に画像表示させる画像データを、現在表示されている画像データの１つ前、又は、１つ後の画像データに切替え、
前記回動動作検出手段により、前記操作部が、前記所定速度以上の速度で回動されたことが検出された場合には、前記表示画像切替手段は、前記画像表示部に画像表示させる画像データの切替を行わないことを特徴とする請求項１又は２に記載のプリンタ。
【請求項４】
前記回動動作検出手段により、前記操作部が、前記所定速度未満の速度で一方の回動方向に回動されたことが検出された場合には、前記表示画像切替手段は、前記画像表示部に、現在表示されている画像データの１つ後の画像データを表示させ、
前記回動動作検出手段により、前記操作部が、前記所定速度未満の速度で他方の回動方向に回動されたことが検出された場合には、前記表示画像切替手段は、前記画像表示部に、現在表示されている画像データの１つ前の画像データを表示させることを特徴とする請求項３に記載のプリンタ。
【請求項５】
前記複数の画像データのうち、前記画像表示部に画像が表示されている画像データを選択する画像選択手段を備えていることを特徴とする請求項１〜４の何れかに記載のプリンタ。
【請求項６】
前記取付面上の待機位置から回動した状態において、前記操作部の、その面方向に沿って前記取付面に対して離接する離接動作を検出する離接動作検出手段をさらに備え、
前記画像選択手段は、前記離接動作検出手段の検出結果に基づいて、前記画像表示部に画像表示されている画像データを選択するか否かを決定することを特徴とする請求項５に記載のプリンタ。
【請求項７】
前記離接動作検出手段により、前記操作部が、前記取付面から離れるように引っ張られたことが検出されたときには、前記画像選択手段は、前記画像表示部に画像表示されている画像データの画像を選択し、
その後、前記離接動作検出手段により、前記操作部が、前記取付面に向けて押し付けられたことが検出されたときには、前記画像選択手段は、先に行った画像データの選択をキャンセルすることを特徴とする請求項６に記載のプリンタ。
【請求項８】
前記離接動作検出手段により、前記操作部が、前記回動軸方向の一方に向けて前記取付面から離れるように引っ張られたことが検出されたときには、前記画像選択手段は、前記画像表示部に画像表示されている画像データを選択し、
その後、前記離接動作検出手段により、前記操作部が、前記回動軸方向の他方に向けて前記取付面から離れるように引っ張られたことが検出されたときには、前記画像選択手段は、先に行った画像データの選択をキャンセルすることを特徴とする請求項６に記載のプリンタ。
【請求項９】
前記画像選択手段は、前記画像表示部に画像表示されている画像データを選択したときには、前記画像記録部に、その画像データの画像を前記被記録媒体に記録させることを特徴とする請求項６〜８の何れかに記載のプリンタ。
【請求項１０】
前記離接動作検出手段により、前記操作部が、前記取付面から離れるように引っ張られたことが検出されたときには、前記画像選択手段は、前記画像記録部がその画像データの画像を前記被記録媒体に記録する際の、記録枚数を増加させ、
前記離接動作検出手段により、前記操作部が、前記取付面に向けて押し付けられたことが検出されたときには、前記画像選択手段は、前記画像記録部がその画像データの画像を前記被記録媒体に記録する際の、記録枚数を減少させることを特徴とする請求項６に記載のプリンタ。
【請求項１１】
前記離接動作検出手段により、前記操作部が、前記回動軸方向の一方に向けて前記取付面から離れるように引っ張られたことが検出されたときには、前記画像記録部がその画像データの画像を前記被記録媒体に記録する際の、記録枚数を増加させ、
前記離接動作検出手段により、前記操作部が、前記回動軸方向の他方に向けて前記取付面から離れるように引っ張られたことが検出されたときには、前記画像選択手段は、前記画像記録部がその画像データの画像を前記被記録媒体に記録する際の、記録枚数を減少させることを特徴とする請求項６に記載のプリンタ。
【請求項１２】
前記画像選択手段は、前記離接動作検出手段により検出された、前記操作部の前記離接動作の程度に応じて、前記記録枚数の増加量又は減少量を変更することを特徴とする請求項１０又は１１に記載のプリンタ。
【請求項１３】
前記操作部の、前記回動軸方向に関する両端部の前記離接動作をそれぞれ検出する、２つの前記離接動作検出手段を備えていることを特徴とする請求項６〜１２の何れかに記載のプリンタ。
【請求項１４】
前記２つの離接動作検出手段の一方により、前記操作部の前記回動軸方向に関する一端部が前記取付面から引っ張られたことが検出されると同時に、前記２つの離接動作検出手段の他方により、前記操作部の前記回動軸方向に関する他端部が前記取付面に押し付けられたことが検出された場合には、前記画像表示部は、現在表示されている画像を回転させることを特徴とする請求項１３に記載のプリンタ。
【請求項１５】
前記画像記録部により画像が記録された前記被記録媒体を、所定の一方向に排出する搬送手段をさらに備え、
前記離接動作検出手段により、前記操作部が、前記搬送手段による前記被記録媒体の排出方向に沿って前記取付面から離れるように引っ張られたことが検出されたときには、前記画像選択手段は、前記画像表示部に画像表示されている画像データを選択して、前記画像記録部に、選択した画像データの画像を前記被記録媒体に記録させることを特徴とする請求項６に記載のプリンタ。
【請求項１６】
前記画像表示部が、前記取付面上で待機した状態の前記操作部と、略同一平面上にあることを特徴とする請求項１〜１５の何れかに記載のプリンタ。
【請求項１７】
前記画像表示部が、待機状態にあるときの前記操作部に対して前記回動軸と反対側に配置されていることを特徴とする請求項１６に記載のプリンタ。
【請求項１８】
前記操作部が前記取付面上で待機している状態では、前記表示画像切替手段は、前記画像表示部に、閉じた状態の冊子本の画像を表示させ、
前記回動動作検出手段により前記操作部の回動動作が検出されたときには、前記表示画像切替手段は、開いた状態の前記冊子本の画像データと、前記操作部の回動動作に対応する所定の前記画像データとを合成し、その合成画像を前記画像表示部に表示させることを特徴とする請求項１７に記載のプリンタ。
【請求項１９】
前記画像表示部に表示される前記冊子本の、閉じた状態から開くときの方向が、前記操作部が前記取付面上で待機している状態から回動するときの回動方向と同じであることを特徴とする請求項１８に記載のプリンタ。
【請求項２０】
前記操作部の、待機状態にあるときに前記取付面と対向する面が白色であり、
前記取付面の色が、白色以外の色であることを特徴とする請求項１〜１９の何れかに記載のプリンタ。
【請求項２１】
前記表示画像切替手段は、前記回動動作検出手段により検出された前記操作部の回動角度情報に基づいて、切り替えられる前後の画像データを合成して、切替途中を示す合成画像データを生成し、前記画像表示部に、前記合成画像データの画像を表示させることを特徴とする請求項１〜２０の何れかに記載のプリンタ。
【請求項２２】
それぞれが前記複数の画像データを含む、複数の画像データ群の中から、前記画像表示部による画像表示を行う画像データ群を選択するデータ群選択手段をさらに備え、
前記データ群選択手段により１つの前記画像データ群が選択された後、前記回動動作検出手段により、前記操作部の回動動作が検出されたときには、前記表示画像切替手段は、選択された前記画像データ群に属する複数の画像データの画像を、前記画像表示部に表示させることを特徴とする請求項１〜２１の何れかに記載のプリンタ。
【発明の詳細な説明】
【技術分野】
【０００１】
本発明は、被記録媒体に画像を記録するプリンタに関する。
【背景技術】
【０００２】
印刷用紙等の被記録媒体に画像を記録（印刷）するプリンタには、画像記録に関する様々な情報を表示可能なディスプレイと、このディスプレイに表示された情報を基に、ユーザーがプリンタを操作するための操作パネルが一般的に設けられている（例えば、特許文献１参照）。また、このようなプリンタは、通常、入力された複数の画像データの画像をディスプレイに表示することが可能になっており、操作パネルに設けられた様々な種類のボタンをユーザーが操作して、ディスプレイに表示される画像を切り替えつつ、印刷したい所望の画像をユーザーが選択することが可能に構成されている。
【０００３】
また、プリンタや大画面表示装置などに画像を出力する装置としても、上記と同様に、操作パネルに設けられた様々な種類のボタンをユーザーが操作して、ディスプレイに表示される画像を切り替えながら、出力したい画像を選択する画像出力装置が知られている。
【０００４】
【特許文献１】特開２００６−３５６６２号公報
【発明の開示】
【発明が解決しようとする課題】
【０００５】
しかし、高齢者などの機器の操作を苦手とするユーザーにとっては、操作パネルに設けられた複数の小さなボタンの機能をそれぞれ理解した上で、これら複数のボタンを操作して複数の画像データの表示を切り替えて、所望の画像データを探し出すことは困難である。つまり、従来のプリンタは、機器の操作を苦手とするユーザーが、複数の画像データから所望の画像データをディスプレイに表示させることを容易に行えるものではなかった。
【０００６】
本発明の目的は、機器の操作を苦手とするユーザーであっても、複数の画像データから所望の画像データを容易に表示させることのできるプリンタを提供することである。
【課題を解決するための手段】
【０００７】
第１の発明のプリンタは、順序付けされた複数の画像データから選択された、所定の画像データの画像を表示する画像表示部と、前記画像データの画像を被記録媒体に記録する画像記録部と、プリンタ本体に設けられた取付面に取り付けられて、前記取付面上に載置された状態で待機可能、且つ、前記取付面と平行な回動軸を中心に回動可能に構成された、板状の操作部と、前記操作部の回動動作を検出する回動動作検出手段と、前記回動動作検出手段により検出された前記操作部の回動動作に基づいて、前記画像表示部に画像表示させる画像データを、前記複数の画像データの順序に従って切り替える表示画像切替手段とを備えていることを特徴とするものである。
【０００８】
プリンタ本体に設けられた取付面には、板状の操作部が回動可能に取り付けられている。そして、ユーザーにより、本のページをめくるように操作部の回動操作がなされると、この操作部の回動動作（回動角度、回動方向、及び、回動速度等）が回動動作検出手段により検出される。すると、表示画像切替手段は、検出された操作部の回動動作に基づいて、ユーザーが、画像表示部に画像表示させる画像データを送りたいのか、あるいは、戻したいのかを判断し、複数の画像データの順序に従って、表示画像データを切り替える。
【０００９】
このように、本のページをめくるように板状の操作部を回動させ、その操作部の回動に応じた表示画像の送り／戻しをプリンタに行わせることができるため、機器の操作が苦手なユーザーでも、選択したい所望の画像を画像表示部に表示させることが容易になる。
【００１０】
第２の発明のプリンタは、前記第１の発明において、前記回動動作検出手段により、前記操作部が、前記取付面上で待機した状態から回動が開始されたことが検出されたときには、前記表示画像切替手段は、前記複数の画像データのうちの最初のデータの画像を前記画像表示部に表示させることを特徴とするものである。
【００１１】
この構成によれば、待機状態から操作部を回動させるだけで、最初の画像が画像表示部に表示されることから、機器の操作が苦手なユーザーでも、プリンタに画像表示を開始させることが容易である。
【００１２】
第３の発明のプリンタは、前記第１又は第２の発明において、前記回動動作検出手段により、前記操作部が、所定速度未満の速度で回動されたことが検出された場合には、前記表示画像切替手段は、前記画像表示部に画像表示させる画像データを、現在表示されている画像データの１つ前、又は、１つ後の画像データに切替え、
前記回動動作検出手段により、前記操作部が、前記所定速度以上の速度で回動されたことが検出された場合には、前記表示画像切替手段は、前記画像表示部に画像表示させる画像データの切替を行わないことを特徴とするものである。
【００１３】
一般に、本のページをめくる動作は、ページ上の文面や絵柄等を見ながら行われるため、本のページをめくる速度は比較的ゆっくりした速度であることが多い。そこで、回動動作検出手段により、操作部が、所定速度未満のゆっくりした速度で回動されたことが検出されたときには、表示画像切替手段が、画像表示部に画像表示させる画像データを切り替える。これにより、本のページをめくる感覚で操作部を操作しながら、画像表示部に表示させる画像を切り替えることができる。
【００１４】
また、ページをめくった後に、次のページをめくるために手を戻す動作は、ページをめくるときの動作よりも一般的には速い。そのため、表示画像を切り替えるために、ページをめくるように操作部を所定の一方向に回動させた後、前記一方向への回動を続けるために、操作部を一旦他方に回動させて戻すときの回動速度は、表示画像切替時の回動よりも速くなると考えられる。そこで、回動動作検出手段により、操作部が、所定速度以上の比較的速い速度で回動されたことが検出されたときには、表示画像切替手段は、操作部が戻されただけであり、表示画像の送り／戻しが要求されているわけではないと判断して、画像表示させる画像データの切替を行わない。
【００１５】
第４の発明のプリンタは、前記第３の発明において、前記回動動作検出手段により、前記操作部が、前記所定速度未満の速度で一方の回動方向に回動されたことが検出された場合には、前記表示画像切替手段は、前記画像表示部に、現在表示されている画像データの１つ後の画像データを表示させ、
前記回動動作検出手段により、前記操作部が、前記所定速度未満の速度で他方の回動方向に回動されたことが検出された場合には、前記表示画像切替手段は、前記画像表示部に、現在表示されている画像データの１つ前の画像データを表示させることを特徴とするものである。
【００１６】
操作部が、所定速度未満のゆっくりした速度で一方の回動方向に回動されたときには、表示画像切替手段は、画像表示部に表示させる画像データを１つ後のデータに切り替える。一方、操作部が、所定速度未満のゆっくりした速度で他方の回動方向に回動されたときには、表示画像切替手段は、画像表示部に表示させる画像データを１つ前のデータに切り替える。つまり、操作部を一方に回動させたときに表示画像が１つ送られ、操作部を他方に回動させたときに表示画像が１つ戻されることから、本のページをめくるような感覚で、表示画像を切り替えることができる。
【００１７】
第５の発明のプリンタは、前記第１〜第４の何れかの発明において、前記複数の画像データのうち、前記画像表示部に画像が表示されている画像データを選択する画像選択手段を備えていることを特徴とするものである。
【００１８】
この構成によれば、画像選択手段により、画像表示部に画像が表示された画像データを選択することで、選択された画像データに対して、様々な処理（例えば、被記録媒体への記録や画像処理など）を施すことができる。
【００１９】
第６の発明のプリンタは、前記第５の発明において、前記取付面上の待機位置から回動した状態において、前記操作部の、その面方向に沿って前記取付面に対して離接する離接動作を検出する離接動作検出手段をさらに備え、
前記画像選択手段は、前記離接動作検出手段の検出結果に基づいて、前記画像表示部に画像表示されている画像データを選択するか否かを決定することを特徴とするものである。
【００２０】
この構成によれば、ユーザーが操作部を回動させて所望の画像を画像表示部に表示させた後に、さらに、この操作部を取付面に対して離接させるように操作（引っ張りや押し付けなど）することで、画像表示部に画像表示されている画像を容易に選択することができる。つまり、複数の画像データから、所望の画像データを選択する際に、操作ツマミ以外の部分を操作する必要がないことから、機器の操作が苦手なユーザーでも、画像選択が容易に行える。
【００２１】
第７の発明のプリンタは、前記第６の発明において、前記離接動作検出手段により、前記操作部が、前記取付面から離れるように引っ張られたことが検出されたときには、前記画像選択手段は、前記画像表示部に画像表示されている画像データの画像を選択し、
その後、前記離接動作検出手段により、前記操作部が、前記取付面に向けて押し付けられたことが検出されたときには、前記画像選択手段は、先に行った画像データの選択をキャンセルすることを特徴とするものである。
【００２２】
この構成によれば、本のページを引っ張って破るような感覚で、操作部を取付面から離れる方向に引っ張ることにより、画像表示部に画像表示されている画像データを選択することができる。さらに、一度引っ張って選択したページを押し戻すような感覚で、操作部を取付面に向けて押し付けることにより、先に行った画像選択をキャンセルすることができる。
【００２３】
第８の発明のプリンタは、前記第６の発明において、前記離接動作検出手段により、前記操作部が、前記回動軸方向の一方に向けて前記取付面から離れるように引っ張られたことが検出されたときには、前記画像選択手段は、前記画像表示部に画像表示されている画像データを選択し、
その後、前記離接動作検出手段により、前記操作部が、前記回動軸方向の他方に向けて前記取付面から離れるように引っ張られたことが検出されたときには、前記画像選択手段は、先に行った画像データの選択をキャンセルすることを特徴とするものである。
【００２４】
この構成によれば、操作部を回動軸の一方に向けて引っ張ることにより、画像表示部に画像表示されている画像データを選択することができる。さらに、操作部を回動軸の他方に向けて引っ張ることにより、先に行った画像選択をキャンセルすることができる。
【００２５】
第９の発明のプリンタは、前記第６〜第８の何れかの発明において、前記画像選択手段は、前記画像表示部に画像表示されている画像データを選択したときには、前記画像記録部に、その画像データの画像を前記被記録媒体に記録させることを特徴とするものである。
【００２６】
この構成によれば、操作部を操作することによって、画像表示部に表示する画像を切り替えて所望の画像を選択し、さらに、選択した画像を画像記録部により被記録媒体に記録することができる。
【００２７】
第１０の発明のプリンタは、前記第６の発明において、前記離接動作検出手段により、前記操作部が、前記取付面から離れるように引っ張られたことが検出されたときには、前記画像選択手段は、前記画像記録部がその画像データの画像を前記被記録媒体に記録する際の、記録枚数を増加させ、
前記離接動作検出手段により、前記操作部が、前記取付面に向けて押し付けられたことが検出されたときには、前記画像選択手段は、前記画像記録部がその画像データの画像を前記被記録媒体に記録する際の、記録枚数を減少させることを特徴とするものである。
【００２８】
この構成によれば、本のページを引っ張って破るような感覚で、操作部を取付面から離れるように引っ張ることにより、表示されている画像を画像記録部により記録する際の、記録枚数を増減することができる。また、一度引っ張ったページを押し戻すような感覚で、操作部を取付面に向けて押し付けることにより、記録枚数を増減することができる。
【００２９】
第１１の発明のプリンタは、前記第６の発明において、前記離接動作検出手段により、前記操作部が、前記回動軸方向の一方に向けて前記取付面から離れるように引っ張られたことが検出されたときには、前記画像記録部がその画像データの画像を前記被記録媒体に記録する際の、記録枚数を増加させ、
前記離接動作検出手段により、前記操作部が、前記回動軸方向の他方に向けて前記取付面から離れるように引っ張られたことが検出されたときには、前記画像選択手段は、前記画像記録部がその画像データの画像を前記被記録媒体に記録する際の、記録枚数を減少させることを特徴とするものである。
【００３０】
この構成によれば、操作部を回動軸の一方に向けて引っ張ることにより、表示されている画像を画像記録部により記録する際の、記録枚数を増加させることができる。また、操作部を回動軸の他方に向けて引っ張ることにより、記録枚数を減少させることができる。
【００３１】
第１２の発明のプリンタは、前記第１０又は第１１の発明において、前記画像選択手段は、前記離接動作検出手段により検出された、前記操作部の前記離接動作の程度に応じて、前記記録枚数の増加量又は減少量を変更することを特徴とするものである。
【００３２】
この構成によれば、離接動作時における操作部の移動量の大小に応じて、記録枚数の増減量が変わる。そのため、例えば、操作部を強く引っ張る、あるいは、強く押し込むことで、記録枚数を一度に大きな枚数増減させることができる。また、逆に、操作部を弱く引っ張る、あるいは、弱く押し込むことで、記録枚数を小刻みに増減させることができる。
【００３３】
第１３の発明のプリンタは、前記第６〜第１２の何れかの発明において、前記操作部の、前記回動軸方向に関する両端部の前記離接動作をそれぞれ検出する、２つの前記離接動作検出手段を備えていることを特徴とするものである。
【００３４】
このように、操作部の、回動軸方向に関する両端部の離接動作をそれぞれ検出する、２つの離接動作検出手段を備えていると、操作部の様々な動作を検出することが可能となる。即ち、操作部の両端部が共に引っ張られた場合、又は、両端部が共に押し込まれた場合、あるいは、両端部の一方のみが引っ張られた場合、又は、一方のみが押し込まれた場合などを、区別して検出できる。このような操作部の複数の動作を区別して検出できることで、これら複数の動作に対してそれぞれ異なる処理（例えば、画像の記録、記録のキャンセル、記録枚数の増減、回転や濃度変更といった画像処理など）を割り当てることができる。つまり、操作部を操作するだけで、画像表示部に画像表示されている１つの画像データに対して、様々な処理を行わせることが可能となる。
【００３５】
第１４の発明のプリンタは、前記第１３の発明において、前記２つの離接動作検出手段の一方により、前記操作部の前記回動軸方向に関する一端部が前記取付面から引っ張られたことが検出されると同時に、前記２つの離接動作検出手段の他方により、前記操作部の前記回動軸方向に関する他端部が前記取付面に押し付けられたことが検出された場合には、前記画像表示部は、現在表示されている画像を回転させることを特徴とするものである。
【００３６】
待機位置から回動した状態の操作部が、その面内で回転するように操作されると、操作部の回動軸方向に関する一端部が取付面から引っ張られるとともに、操作部の回動軸方向に関する他端部が取付面に押し付けられる。従って、２つの離接動作検出手段が設けられている場合には、この操作部の面内回転動作を検出することができるようになる。さらに、２つの離接動作検出手段により、操作部の面内回転動作が検出されたときには、画像表示部は、現在表示されている画像を回転させる。これにより、ユーザーは、操作部を面内回転させるだけで、画像表示部に現在表示されている画像を容易に回転させることができる。
【００３７】
第１５の発明のプリンタは、前記第６の発明において、前記画像記録部により画像が記録された前記被記録媒体を、所定の一方向に排出する搬送手段をさらに備え、
前記離接動作検出手段により、前記操作部が、前記搬送手段による前記被記録媒体の排出方向に沿って前記取付面から離れるように引っ張られたことが検出されたときには、前記画像選択手段は、前記画像表示部に画像表示されている画像データを選択して、前記画像記録部に、選択した画像データの画像を前記被記録媒体に記録させることを特徴とするものである。
【００３８】
この構成によれば、操作部を引っ張ることにより、画像表示部に表示されている画像データを選択すると、画像が記録された被記録媒体が、操作部を引っ張った方向に排出されてくる。つまり、表示されている画像を記録したいときには、被記録媒体が排出されてくる方向に操作部を引っ張ればよいことから、機器の操作が苦手なユーザーでも、被記録媒体に画像を記録する際の操作部の操作を覚えやすい。
【００３９】
第１６の発明のプリンタは、前記第１〜第１５の何れかの発明において、前記画像表示部が、前記取付面上で待機した状態の前記操作部と、略同一平面上にあることを特徴とするものである。
【００４０】
この構成によれば、画像表示部を見ながら操作部を操作することができるため、表示画像を切り替えつつ、所望の画像を見つけ出すのが容易になる。
【００４１】
第１７の発明のプリンタは、前記第１６の発明において、前記画像表示部が、待機状態にあるときの前記操作部に対して前記回動軸と反対側に配置されていることを特徴とするものである。
【００４２】
この構成によれば、操作部が、取付面に載置された待機状態から、回動軸を中心に画像表示部と反対の方向に開くことになる。そのため、操作部を画像表示部と反対側に回動させつつ画像表示部を見るときの感覚が、本のページをめくったときに、めくられたページと反対側にある次のページを見るときの感覚に近くなる。従って、画像を切り替えるときの操作が、本をめくるときの感覚にさらに近くなる。
【００４３】
第１８の発明のプリンタは、前記第１７の発明において、前記操作部が前記取付面上で待機している状態では、前記表示画像切替手段は、前記画像表示部に、閉じた状態の冊子本の画像を表示させ、
前記回動動作検出手段により前記操作部の回動動作が検出されたときには、前記表示画像切替手段は、開いた状態の前記冊子本の画像データと、前記操作部の回動動作に対応する所定の前記画像データとを合成し、その合成画像を前記画像表示部に表示させることを特徴とするものである。
【００４４】
操作部が待機状態にあるときには、画像表示部には、閉じた状態の冊子本の画像が表示される。そして、ユーザーにより操作部の回動がなされた場合には、表示画像切替手段は、開いた状態の冊子本の画像データと、操作部の回動動作に対応する画像データとを合成し、開いた状態の冊子本の中に、画像データの画像が挿入された、合成画像を画像表示部に表示させる。これにより、ユーザーが操作部を回動操作したときに、冊子本のページをめくる感覚をユーザーに与えることができる。
【００４５】
第１９の発明のプリンタは、前記第１８の発明において、前記画像表示部に表示される前記冊子本の、閉じた状態から開くときの方向が、前記操作部が前記取付面上で待機している状態から回動するときの回動方向と同じであることを特徴とするものである。
【００４６】
この構成によれば、操作部が待機状態から回動するときの回動方向が、画像表示部に表示される仮想的な冊子本が開く方向と一致しているため、冊子本がめくられて画像が送られる場合の操作部の回動方向を、ユーザーが容易に認識することができるようになる。
【００４７】
第２０の発明のプリンタは、前記第１〜第１９の何れかの発明において、前記操作部の、待機状態にあるときに前記取付面と対向する面が白色であり、前記取付面の色が、白色以外の色であることを特徴とするものである。
【００４８】
この構成によれば、画像を切り替えるために操作部を回動させたときに、操作部の白色の対向面（裏面）が表に現れるとともに、取付面の色が白色以外の色であることから、この操作ツマミの裏面の白色が際立つ。そのため、操作部を回動操作したときに、ユーザーに、本をめくったときに白色の紙製のページが表に現れるときの感覚を生じさせる。
【００４９】
第２１の発明のプリンタは、前記第１〜第２０の何れかの発明において、前記表示画像切替手段は、前記回動動作検出手段により検出された前記操作部の回動角度情報に基づいて、切り替えられる前後の画像データを合成して、切替途中を示す合成画像データを生成し、前記画像表示部に、前記合成画像データの画像を表示させることを特徴とするものである。
【００５０】
この構成によれば、操作部の回動角度に応じて切替前後の画像データが合成され、この切替途中の合成画像が画像表示部に表示されるため、ユーザーに対して、操作部の回動に連動して表示画像が切り替えられる感覚を与えることができる。また、ユーザーは、操作部を一方向に少し回動させるだけで、その回動方向に応じて切替られる画像を確認できる。そのため、画像を送る場合（又は、画像を戻す場合）の操作部の回動方向を、ユーザーが容易に認識することができるようになる。
【００５１】
第２２の発明のプリンタは、前記第１〜第２１の何れかの発明において、それぞれが前記複数の画像データを含む、複数の画像データ群の中から、前記画像表示部による画像表示を行う画像データ群を選択するデータ群選択手段をさらに備え、
前記データ群選択手段により１つの前記画像データ群が選択された後、前記回動動作検出手段により、前記操作部の回動動作が検出されたときには、前記表示画像切替手段は、選択された前記画像データ群に属する複数の画像データの画像を、前記画像表示部に表示させることを特徴とするものである。
【００５２】
この構成によれば、それぞれが順序付けされた複数の画像データを含む、複数の画像データ群が存在する場合に、データ群選択手段により、画像表示部に画像を表示する画像データ群を選択することができる。
【発明の効果】
【００５５】
本発明によれば、本のページをめくるように板状の操作部を回動させ、その操作部の回動に応じた表示画像の送り／戻しをプリンタや画像出力装置に行わせることができるため、機器の操作が苦手なユーザーでも、選択したい所望の画像を画像表示部に表示させることが容易になる。
【発明を実施するための最良の形態】
【００５６】
＜第１実施形態＞
次に、本発明の第１実施形態について説明する。図１は、第１実施形態のプリンタの斜視図、図２は、プリンタの電気的構成を概略的に示すブロック図である。
【００５７】
図１、図２に示すように、第１実施形態のプリンタ１は、印刷用紙Ｐ（被記録媒体）に画像を記録する記録ヘッド２（画像記録部）と、印刷用紙Ｐを所定方向（図１の前方）へ搬送する搬送機構３（搬送手段）と、記録ヘッド２及び搬送機構３を含む、プリンタ１の各種機構をそれぞれ制御する制御装置４を備えている。
【００５８】
図１に示すように、プリンタ１は、略直方体状のプリンタ本体６を有し、このプリンタ本体６内に、記録ヘッド２と搬送機構３等が収容されている。記録ヘッド２としては、インクジェット方式や、レーザー方式、あるいは、熱転写方式等、公知の方式で印刷用紙Ｐに印刷を行うものが用いられる。この記録ヘッド２は、画像データが記録されたデータ記録媒体７（図２参照）がプリンタ１に接続された状態で、制御装置４からの指令に基づいて、データ記録媒体７から入力された、画像データ（画像ファイル）の画像を印刷用紙Ｐに記録する。尚、以下の説明において、１つの画像データ（画像ファイル）とは、１枚の画像を構成するひとまとまりのデータの集合体を意味するものとする。
【００５９】
プリンタ本体６の下半部はその一部が前方に開放されており、この開放部分には、印刷用紙Ｐが収容される給紙トレイ９と、画像が記録された印刷用紙Ｐが排出される排紙トレイ８が設けられている。そして、搬送機構３は、モータで回転駆動される搬送ローラによって、給紙トレイ９内の印刷用紙Ｐを、プリンタ本体６内の記録ヘッド２へ搬送するとともに、記録ヘッド２により画像が記録された印刷用紙Ｐを前方の排紙トレイ８へ排出する。
【００６０】
プリンタ本体６の下半部前面の、給紙トレイ９及び排紙トレイ８の側方位置には、カートリッジ装着部１０が設けられており、このカートリッジ装着部１０には、４色のインク（イエロー、マゼンタ、シアン、及び、ブラック）をそれぞれ収容した４つのインクカートリッジ１１が着脱自在に装着される。
【００６１】
プリンタ本体６の上半部には、図１の紙面手前側に位置するユーザーに向けて、前方に傾斜した取付面６ａが形成されている。この取付面６ａには、ユーザーにより操作される複数の操作ボタン１２と、プリンタ１の動作状態やエラーメッセージ等の情報、及び、入力された画像データの画像を表示するディスプレイ１３（画像表示部）が設けられている。
【００６２】
また、図１に示すように、取付面６ａの、ディスプレイ１３よりも右側の位置には、平面視矩形状の凹部１５が形成されている。そして、凹部１５内には、凹部１５よりも一回り小さい矩形板状の操作ツマミ１７（操作部）が収容されている。さらに、この操作ツマミ１７は取付面６ａに回動自在に取り付けられている。
【００６３】
図３は、操作ツマミ１７の斜視図である。図３に示すように、操作ツマミ１７の短手方向一端部には、操作ツマミ１７の長辺に沿って延びる回動軸１８が固定的に設けられている。そして、この回動軸１８が、その両端部において軸受１９に回転自在に支持されることにより、操作ツマミ１７は、回動軸１８を中心に取付面６ａに対して回動可能に構成されている。
【００６４】
この操作ツマミ１７は、凹部１５内に収容されるとともに、取付面６ａ（凹部１５の底面）上に載置された待機状態（図１の実線で示す状態）と、この待機位置から回動軸１８を中心に回動した状態（図１の２点鎖線で示す状態、図３の状態）とを取り得るようになっている。操作ツマミ１７が待機状態にあるときには、凹部１５内に収容された操作ツマミ１７の上面と、凹部１５周囲の取付面６ａの上面は、ほぼ面一となっている。尚、凹部１５の左縁部には、ユーザーが、凹部１５に収容された操作ツマミ１７を引っ張り出しやすくするための、窪み１６が設けられている。また、ディスプレイ１３は、取付面６ａ上に載置された状態の操作ツマミ１７と略同一面上にあり、さらに、待機状態にあるときの操作ツマミ１７に対して回動軸１８と反対側（左側）に配置されている。つまり、操作ツマミ１７に対して、待機状態から操作ツマミ１７が回動する側と逆側にディスプレイ１３が位置している。
【００６５】
図３に示すように、回動軸１８の上端部には、操作ツマミ１７の回動動作（回動方向、回動角度、回動速度等）を検出するロータリーエンコーダ２０（回動動作検出手段）が取り付けられている。さらに、回動軸１８の上端部と下端部をそれぞれ回転自在に支持する２つの軸受１９と取付面６ａとの間には、２つの感圧センサ(第１感圧センサ２１、第２感圧センサ２２)がそれぞれ設けられている。また、回動軸１８は図示しないバネ等の付勢手段によって取付面６ａ側に付勢されている。これにより、回動軸１８に設けられた２つの軸受１９は、２つの感圧センサ２１，２２にそれぞれ押し付けられて常時接触している。
【００６６】
感圧センサ２１，２２は、軸受１９から作用する押圧力の変化に応じて、その内部の電気抵抗値が変化することによって、その作用した押圧力に応じた電気信号を出力するものである。そして、２つの感圧センサ２１，２２は、ユーザーによって操作ツマミ１７が取付面６ａから引っ張られ、あるいは、取付面６ａに対して押し付けられることによって、操作ツマミ１７の上下両端部（回動軸方向に関して両端部）がその面方向に沿って移動したときに、軸受１９を介して作用する押圧力の変化を検出する。つまり、２つの感圧センサ２１，２２は、回動軸方向に関する操作ツマミ１７の両端部の、取付面６ａからの離間／接近動作（離接動作）を検出する、離接動作検出手段に相当する。
【００６７】
この第１実施形態のプリンタ１においては、ユーザーにより、板状の操作ツマミ１７が摘まれて本をめくるのと同じような感覚で回動されたときには、その回動動作がロータリーエンコーダ２０で検出され、その回動動作に応じて、ディスプレイ１３に表示される画像が切り替えられる（表示画像切替処理）。さらに、ユーザーにより、板状の操作ツマミ１７が取付面６ａから引っ張られる、あるいは、押し付けられたときには、操作ツマミ１７のその面方向に沿って取付面６ａに対して離接する動作（離接動作）が２つの感圧センサ２１，２２で検出される。そして、その離接動作に応じて、ディスプレイ１３に表示された画像データが選択され、選択された画像データに対して、印刷用紙Ｐへの記録等の様々な処理がなされる（画像選択処理）。この操作ツマミ１７が操作されたときに行われる、表示画像切替処理、及び、画像選択処理の具体的内容については、次の制御装置４の説明において詳細に述べることにする。
【００６８】
次に、制御装置４を中心とするプリンタ１の電気的な構成について、図２のブロック図を参照して詳細に説明する。制御装置４は、中央演算処理装置であるＣＰＵ（Central Processing Unit）と、プリンタ１の各種機構を制御するためのプログラムやデータ等が格納されたＲＯＭ（Read Only Memory）、ＣＰＵで処理されるデータを一時的に記憶するＲＡＭ（Random Access Memory）、外部装置との間の信号の入出力を行う入出力インターフェース等で構成されている。
【００６９】
図２に示すように、制御装置４は、記録制御部３０と、データ記録媒体７から入力された画像データが記憶される画像データ記憶部３１とを有する。データ記録媒体７には、データファイルの名前（例えば、アルファベット順）や画像データの作成日時といった、ある所定の条件に基づいて予め順序付けされた複数の画像データが、画像フォルダ（画像データ群）で区分けされて記録されている。そして、データ記録媒体７がプリンタ１に接続された状態で、データ記録媒体７から読み出された複数の画像データが画像データ記憶部３１に記憶される。
【００７０】
尚、画像データが記録されたデータ記録媒体７としては、ＵＳＢメモリーやメモリカード等、プリンタのスロット等に差し込まれることにより接続されるストレージデバイス、あるいは、ケーブル等の有線、あるいは、無線で接続される外部記憶装置等が該当する。
【００７１】
そして、記録制御部３０は、画像データ記憶部３１に記憶されたデータを参照して、記録ヘッド２と搬送機構３をそれぞれ制御することにより、ユーザーによって選択された画像データの画像を、印刷用紙Ｐに印刷するように構成されている。また、制御装置４は、プリンタ１の状態（画像記録中の状態、あるいは、待機状態など）やエラーメッセージ等をディスプレイ１３に表示させて、これらの情報をユーザーに通知する。
【００７２】
さらに、制御装置４は、ユーザーによる操作ツマミ１７の操作に応じて、ディスプレイ１３に画像表示させる画像データを、複数の画像データの順序付けに従って切り替える機能、及び、ユーザーによる操作ツマミ１７の操作に応じて、ディスプレイ１３に画像表示されている画像データを選択する機能を備えている。
【００７３】
即ち、制御装置４は、ユーザーにより操作ツマミ１７が操作されたときに、ロータリーエンコーダ２０によって検出された操作ツマミ１７の回動動作に基づいて、ディスプレイ１３に画像表示させる画像データを切り替える表示画像切替部３２（表示画像切替手段）と、第１、第２感圧センサ２１，２２により検出された操作ツマミ１７の離接動作に基づいて、ディスプレイ１３に画像が表示されている画像データを選択する画像選択部３３（画像選択手段）とを備えている。
【００７４】
尚、記録制御部３０、画像データ記憶部３１、表示画像切替部３２、及び、画像選択部３３は、制御装置４を構成しているＣＰＵ，ＲＯＭ，ＲＡＭ等により実現されている。言い換えれば、制御装置４のＲＯＭに、ディスプレイ１３の表示画像を切り替えるためのプログラムや、ディスプレイ１３に表示されている画像を選択するためのプログラム等、各種プログラムが格納されており、このＲＯＭに格納されたプログラムが、制御装置４のＣＰＵで実行されることで、記録制御部３０、画像データ記憶部３１、表示画像切替部３２、及び、画像選択部３３の、それぞれの機能が実現される。
【００７５】
（表示画像切替処理）
まず、表示画像切替部３２による表示画像切替処理について、図３、及び、図４の処理説明図を参照して説明する。
図３の矢印ａで示すように、ユーザーにより、操作ツマミ１７が回動軸１８を中心に左右に回動されたときには、表示画像切替部３２は、ディスプレイ１３に表示させる画像データを、予め定められた複数の画像データの順序に従って切り替える。
【００７６】
データ記録媒体７がプリンタ１の制御装置４に接続されている状態で、ロータリーエンコーダ２０により、操作ツマミ１７が取付面６ａに載置された待機位置にあること（待機状態）が検出されているときには、表示画像切替部３２は、データ記録媒体７に記録されている複数の画像データを画像データ記憶部３１に記憶させるとともに、これら複数の画像データが格納された画像フォルダ名を、ディスプレイ１３に表示させる。また、このとき、画像フォルダに、画像データの作成日時や作成者等の識別情報が付されている場合には、ユーザーが画像フォルダの種類を認識しやすいように、それらの情報もディスプレイ１３に表示させてもよい。
【００７７】
尚、データ記録媒体７に、それぞれが複数の画像データを含む複数の画像フォルダ（画像データ群）がある場合には、どの画像フォルダの画像をディスプレイ１３に表示させるかをユーザーに選択させるために、これら複数の画像フォルダ名の一覧表示や選択を促すメッセージ等をディスプレイ１３に表示させてもよい。そして、操作ボタン１２等が操作されることによって、ユーザーから１つの画像フォルダが選択されると、操作ツマミ１７が待機状態にあるときに、その画像フォルダの名前がディスプレイ１３に表示される。この場合、操作ボタン１２が本願発明のデータ群選択手段に相当する。
【００７８】
次に、ユーザーによって、操作ツマミ１７が待機状態から回動軸１８を中心に右方向に回動されたときには、この右方向の回動動作はロータリーエンコーダ２０によって検出される。すると、表示画像切替部３２は、画像データ記憶部３１に記憶された複数の画像データのうち、最初の画像データの画像をディスプレイ１３に表示させる。このように、ユーザーが、待機状態にある操作ツマミ１７を回動させるだけで、最初の画像がディスプレイ１３に表示されることから、機器の操作が苦手なユーザーでも、プリンタ１に画像表示を開始させることが容易である。
【００７９】
さらに、ディスプレイ１３に画像が表示された状態で、ユーザーによって、本のページをめくるように、操作ツマミ１７が右方向に回動されたときには、表示画像切替部３２は、現在表示されている画像データの１つ後の画像データを、ディスプレイ１３に表示させる。また、逆に、ユーザーによって、本のページを戻すように、操作ツマミ１７が左方向に回動されたときには、表示画像切替部３２は、現在表示されている画像データの１つ前の画像データを、ディスプレイ１３に表示させる。従って、本のページをめくるように板状の操作ツマミ１７を回動させることで、ディスプレイ１３に表示される画像の切替（送り／戻し）を行うことができる。
【００８０】
ところで、操作ツマミ１７の回動によってディスプレイ１３に表示する画像を順に送る（又は、画像を戻す）場合には、操作ツマミ１７を一方に回動させてある画像を表示させた後、再度操作ツマミ１７を一方へ回動させてさらに次の画像データに切り替えるために、操作ツマミ１７を一旦他方へ戻す必要がある。そのため、画像データを順に送る（又は、順に戻す）ためには、この操作ツマミ１７を一旦逆方向に戻す動作が、単に次の回動動作を行うためのものであって、画像データの切替を意図するものでないことを、表示画像切替部３２が認識する必要がある。
【００８１】
ここで、一般に、本のページをめくる動作は、ページ上の文面や絵柄等を見ながら行われるため、本のページをめくる速度は比較的ゆっくりした速度であることが多い。そこで、本実施形態においては、ロータリーエンコーダ２０により、操作ツマミ１７が、所定速度未満のゆっくりした速度で右方、又は、左方へ回動されたことが検出されたときには、表示画像切替部３２は、ユーザーから画像の送り／戻しが要求されていると判断して、ディスプレイ１３に画像表示させる画像データを切り替える。これにより、本のページをめくるのと同じ感覚で、ディスプレイ１３に表示させる画像を切り替えることができる。
【００８２】
また、ページをめくった後に、次のページをめくるために手を戻す動作は、ページをめくるときの動作よりも一般的には速い。そのため、表示画像を切り替えるために、ページをめくるように操作ツマミ１７を一方に回動させた後、操作ツマミ１７を一旦他方に回動させて戻すときの回動速度は、表示画像切替時の回動速度よりも速くなると考えられる。そこで、ロータリーエンコーダ２０により、操作ツマミ１７が、所定速度以上の比較的速い速度で回動されたことが検出されたときには、表示画像切替部３２は、画像切替のために操作ツマミ１７が戻されただけであり、ユーザーから表示画像の送り／戻しが要求されているわけではないと判断して、画像表示させる画像データの切替を行わない。
【００８３】
以上の表示画像切替処理を整理すると図４のようになる。操作ツマミ１７が待機位置にある場合には、ディスプレイ１３に画像フォルダ名が表示される（処理項目Ａ）。また、操作ツマミ１７が待機位置から回動されると、複数の画像データのうちの、最初の画像データの画像がディスプレイ１３に表示される。その後、操作ツマミ１７が所定速度未満のゆっくりした速度（回動速度：小）で右方に回動されたときには、ディスプレイ１３に表示される画像が１つ後の画像データの画像に切り替えられる（処理項目Ｂ）。また、操作ツマミ１７が所定速度未満のゆっくりした速度（回動速度：小）で左方に回動されたときには、ディスプレイ１３に表示される画像が１つ前の画像データの画像に切り替えられる（処理項目Ｃ）。但し、この画像切替操作中に、操作ツマミ１７が所定速度以上の速度（回動速度：大）で右方、又は、左方に回動されたときには、この動作は操作ツマミ１７を一旦戻す操作と判断され、ディスプレイ１３の表示画像は切り替えられない（処理項目Ｄ，Ｅ）。
【００８４】
また、以上の処理内容からも分かるように、操作ツマミ１７を、所定速度未満のゆっくりした速度で左右に交互に回動させることで、ディスプレイ１３に、前後２つの画像データの画像を交互に表示させることができる。
【００８５】
また、図１に示すように、ディスプレイ１３は、取付面６ａ上に載置された状態（待機状態）の操作ツマミ１７と略同一平面上にある。そのため、ユーザーは、ディスプレイ１３を見ながら操作ツマミ１７を操作して、表示画像を切り替えることができ、所望の画像を見つけ出すのが容易になる。
【００８６】
さらに、図１に示すように、ディスプレイ１３は、待機状態にあるときの操作ツマミ１７に対して回動軸１８と反対側（左側）に配置されている。つまり、操作ツマミ１７に対して、待機状態から操作ツマミ１７が回動する方向と逆方向にディスプレイ１３が位置している。即ち、待機状態にある操作ツマミ１７を右方へ回動させたときに、この右方へ回動した操作ツマミ１７の左側に、画像が表示されるディスプレイ１３が位置する。そのため、操作ツマミ１７をディスプレイ１３と反対側に回動させつつ、このディスプレイ１３を見るときの感覚が、本のページをめくったときに、めくられたページと反対側にある次のページを見るときの感覚に近くなる。従って、画像を切り替えるときの操作が、本をめくる感覚にさらに近くなる。
【００８７】
また、操作ツマミ１７の、待機状態にあるときに取付面６ａと対向する面が白色であり、プリンタ本体６の取付面６ａの色が、白色以外の色であることが好ましい。この構成では、本のページをめくるように操作ツマミ１７が右方に回動されたときに、操作ツマミ１７の白色の対向面（裏面）が表に現れるとともに、取付面６ａの色が白色以外の色であることから、この操作ツマミ１７の裏面の白色が際立つ。そのため、操作ツマミ１７を回動操作したときに、ユーザーに、本をめくった際に白色の紙のページが表に現れる感覚を生じさせる。
【００８８】
尚、取付面６ａの色は、操作ツマミ１７の裏面の白色がより際立つように、黒色、紺色等の明度の低い色であることがより好ましい。さらに、取付面６ａのうち、凹部１５の底面のみを白色とし、それ以外を白色以外の色としてもよい。この場合には、操作ツマミ１７が回動されたときに出現する、操作ツマミ１７の裏面と凹部１５の底面の白色が、本をめくった際の白色のページが現れる感覚を、より強く生じさせる。
【００８９】
（画像選択処理）
次に、画像選択部３３による画像選択処理について、図３、及び、図５の処理説明図を参照して説明する。この画像選択部３３は、操作ツマミ１７の離接動作を検出する２つの感圧センサ２１，２２の検出結果に基づいて、現在ディスプレイ１３に画像表示されている画像データを選択するか否かを決定し、さらに、選択した画像データに対して様々な処理を行う。
【００９０】
図５に示すように、２つの感圧センサ２１，２２により、取付面６ａからの引張（図５の処理項目Ａ）、取付面６ａへの押圧（処理項目Ｂ）、斜め下方への引張（処理項目Ｃ，Ｄ）、斜め上方への引張（処理項目Ｅ，Ｆ）、操作ツマミ１７の面内回転（処理項目Ｇ，Ｈ）という、ユーザーによる複数種類の操作がそれぞれ検出可能である。そして、これら複数の操作に対して、以下の（１）〜（３）でそれぞれ説明する複数の処理内容が割り付けられている。
【００９１】
（１）画像記録処理（処理項目Ａ，Ｂ）
図３の矢印ｂで示すように、ユーザーにより、回動軸１８と直交する方向に、操作ツマミ１７が取付面６ａから引っ張られたときには、画像選択部３３は、現在ディスプレイ１３に表示されている画像データを選択して、その画像を記録ヘッド２により印刷用紙Ｐに印刷させる。また、このようにして、画像選択（画像記録）が行われた後に、図３の矢印ｃで示すように、ユーザーにより、操作ツマミ１７が取付面６ａに押し付けられたときには、画像選択部３３は、現在ディスプレイ１３に表示されている画像データの選択をキャンセルして、画像記録を中止する。
【００９２】
操作ツマミ１７が待機位置からある角度回動した状態で、ユーザーによって、取付面６ａから離れる方向（矢印ｂ方向）に引っ張られると、操作ツマミ１７の回動軸１８の上端部に設けられた第１感圧センサ２１と、回動軸１８の下端部に設けられた第２感圧センサ２２の両方において、押圧力が減少するため（図５中では“−”で示される）、電気抵抗値が増加する。これにより、第１、第２感圧センサ２１，２２の両方から、押圧力が減少したことを示す信号がそれぞれ画像選択部３３に入力され、画像選択部３３は、操作ツマミ１７が回動軸１８と直交する方向に引っ張られたことを認識する。このとき、画像選択部３３は、現在ディスプレイ１３に画像表示されている画像データを選択し、記録制御部３０に対して、その画像の記録開始を指示する信号を送る（処理項目Ａ）。すると、記録制御部３０は、記録ヘッド２と搬送機構３とを制御して、表示されている画像データの画像を印刷用紙Ｐに記録する。
【００９３】
また、上記のようにして、表示画像の記録開始の指示がなされた後、印刷用紙Ｐへの画像の記録が完了する前に、回動軸１８と直交する方向に、操作ツマミ１７が取付面６ａに向けて押し付けられると、第１感圧センサ２１と第２感圧センサ２２の両方において、電気抵抗値が減少し、押圧力が増加した状態（図５中では＋で示される）が検出される。すると、画像選択部３３は、操作ツマミ１７が取付面６ａに押し付けられたことを認識する。そして、記録制御部３０に対して、画像記録のキャンセルを指示する信号を送る（処理項目Ｂ）。すると、記録制御部３０は印刷用紙Ｐへの画像の記録を中止する。
【００９４】
つまり、ユーザーは、本のページをめくって所定のページを選んでからこのページを引っ張って破るような感覚で、操作ツマミ１７を取付面６ａから離れる方向に引っ張ることにより、ディスプレイ１３に画像表示されている画像データを選択し、その画像を印刷用紙Ｐに記録させることができる。また、操作ツマミ１７が手前（前方）に引っ張られると、現在ディスプレイ１３に表示されている画像データが選択されて、記録ヘッド２によってその画像が記録された印刷用紙Ｐが、搬送機構３により操作ツマミ１７を引っ張った方向（前方）に沿って排出されてくる。つまり、表示されている画像を記録したいときには、印刷用紙Ｐが排出されてくる手前の方向に操作ツマミ１７を引っ張ればよいことから、機器の操作が苦手なユーザーでも、画像を記録する際の操作を覚えやすい。
【００９５】
さらに、一度引っ張って選択したページを押し戻すような感覚で、操作ツマミ１７を取付面６ａに向けて押し付けることにより、先に行った画像選択（画像記録）をキャンセルすることができる。
【００９６】
（２）記録枚数変更処理（処理項目Ｃ〜Ｆ）
図３の矢印ｄで示すように、ユーザーにより、操作ツマミ１７が取付面６ａから斜め下向き（手前側）に引っ張られたときには、画像選択部３３は、現在ディスプレイ１３に表示されている画像データの、記録ヘッド２による記録枚数を増加させる。一方、図３の矢印ｅで示すように、ユーザーにより、操作ツマミ１７が取付面６ａから斜め上向き（向こう側）に引っ張られたときには、画像選択部３３は、現在ディスプレイ１３に表示されている画像データを記録ヘッド２が記録する際の、記録枚数を減少させる。
【００９７】
即ち、操作ツマミ１７が待機位置からある角度回動した状態で、ユーザーによって、操作ツマミ１７が、回動軸１８の下端に向けて、取付面６ａから離れるように斜め下向き（手前側）へ引っ張られると、回動軸１８の下端部に設けられた第２感圧センサ２２において、押圧力が減少するため、電気抵抗値が増加する。一方、回動軸１８の上端部に設けられた第１感圧センサ２１においては、作用する押圧力がほとんど変わらず、押圧力の変化は検出されない。このように、第２感圧センサ２２においてのみ押圧力が減少することが検出されることで、画像選択部３３は、操作ツマミ１７が斜め下向きに引っ張られたことを認識する。すると、画像選択部３３は、現在ディスプレイ１３に画像表示されている画像データを選択するとともに、記録ヘッド２により、この画像データを印刷用紙Ｐに記録する際の記録枚数を増加させる（図５の処理項目Ｃ，Ｄ）。
【００９８】
一方、ユーザーによって、操作ツマミ１７が、回動軸１８の上端に向けて、取付面６ａから離れるように斜め上向き（向こう側）へ引っ張られると、回動軸１８の上端部に設けられた第１感圧センサ２１において、押圧力が減少するため、電気抵抗値が増加する。一方、回動軸１８の下端部に設けられた第２感圧センサ２２においては、作用する押圧力がほとんど変わらず、押圧力の変化は検出されない。このように、第１感圧センサ２１においてのみ押圧力が減少することが検出されることで、画像選択部３３は、操作ツマミ１７が斜め上向きに引っ張られたことを認識する。すると、画像選択部３３は、現在ディスプレイ１３に画像表示されている画像データを選択するとともに、記録ヘッド２により、この画像データを印刷用紙Ｐに記録する際の記録枚数を減少させる（図５の処理項目Ｅ，Ｆ）。
【００９９】
さらに、画像選択部３３は、第１，第２感圧センサ２１，２２により検出された、操作ツマミ１７の離接動作の程度（即ち、第１，第２感圧センサ２１，２２に作用する押圧力の増減量）に応じて、選択した画像データの記録枚数の増加量又は減少量を変更する。
【０１００】
具体的には、図５の処理項目Ｃ，Ｅに示されているように、第１感圧センサ２１、又は、第２感圧センサ２２で検出された押圧力の減少量が所定値よりも大きい場合（図５では“強”と記載）には、記録枚数の増加量又は減少量を多くする（例えば、±５枚）。一方、図５の処理項目Ｄ，Ｆに示されているように、第１感圧センサ２１、又は、第２感圧センサ２２で検出された押圧力が所定値未満である場合（図５では“弱”と記載）には、記録枚数の増加量又は減少量を少なくする（例えば、±１枚）。
【０１０１】
そして、この記録枚数変更処理によって、ある画像データの記録枚数が最終決定された後に、（１）の画像記録処理が行われると、この画像データの画像が、決定された枚数の印刷用紙Ｐにそれぞれ記録される。
【０１０２】
このように、ユーザーは、本のページをめくって所定のページを選んでからこのページを手前に引っ張って破るような感覚で、操作ツマミ１７を斜め下向き（手前側）に引っ張ることにより、ディスプレイ１３に画像表示されている画像データの記録枚数を増やすことができる。逆に、一旦選択したページを戻すような感覚で、操作ツマミ１７を斜め上向き（向こう側）に引っ張ることにより、ディスプレイ１３に画像表示されている画像データの記録枚数を減らすことができる。
【０１０３】
（３）表示画像回転処理（処理項目Ｇ，Ｈ）
図３の矢印ｆで示すように、ユーザーにより、操作ツマミ１７がその面内で回転するように操作されると、画像選択部３３は、現在ディスプレイ１３に表示されている画像を回転させる。
【０１０４】
操作ツマミ１７が待機位置からある角度回動した状態で、ユーザーによって、操作ツマミ１７が、その面内において手前側に回転するように操作されたときには、操作ツマミ１７の上端部が取付面６ａから引っ張られると同時に、操作ツマミ１７の下端部は取付面６ａに押し付けられる。従って、回動軸１８の上端部に設けられた第１感圧センサ２１においては押圧力が減少するとともに、回動軸１８の下端部に設けられた第２感圧センサ２２においては押圧力が増加する。
【０１０５】
このように、第１感圧センサ２１により操作ツマミ１７の上端部が引っ張られたことが検出されるとともに、第２感圧センサ２２により操作ツマミ１７の下端部が取付面６ａに押し付けられたことが検出されると、画像選択部３３は、操作ツマミ１７が手前側に回転したことを認識する。すると、画像選択部３３は、ディスプレイ１３に対して、現在表示されている画像を、右方向（時計回りの方向）に所定角度（例えば、９０度）回転させる（図５の処理項目Ｇ）。
【０１０６】
一方、ユーザーによって、操作ツマミ１７が、その面内において向こう側に回転するように操作されたときには、操作ツマミ１７の上端部が取付面６ａに押し付けられると同時に、操作ツマミ１７の下端部は取付面６ａから引っ張られる。従って、回動軸１８の上端部に設けられた第１感圧センサ２１においては押圧力が増加するとともに、回動軸１８の下端部に設けられた第２感圧センサ２２においては押圧力が減少する。
【０１０７】
このように、第１感圧センサ２１により操作ツマミ１７の上端部が取付面６ａに押し付けられたことが検出されるとともに、第２感圧センサ２２により操作ツマミ１７の下端部が引っ張られたことが検出されると、画像選択部３３は、操作ツマミ１７が向こう側に回転したことを認識する。すると、画像選択部３３は、ディスプレイ１３に対して、現在表示されている画像を、左方向（反時計回りの方向）に所定角度（例えば、９０度）回転させる（図５の処理項目Ｈ）。
【０１０８】
これにより、ユーザーは、操作ツマミ１７をその面内で回転させるように操作するだけで、ディスプレイ１３に現在表示されている画像を容易に回転させることができる。
【０１０９】
尚、画像を回転させるときの回転角度は、ユーザーにより操作ツマミ１７が回転操作されたときの操作の度合（即ち、第１、第２感圧センサ２１，２２で検出された、押圧力の増加量又は減少量の大きさ）に応じて、決定されてもよい。例えば、ユーザーによって強い力で操作ツマミ１７が操作されたときには画像の回転角度が大きく設定され、ユーザーによって弱い力で操作ツマミ１７が操作されたときには画像の回転角度が小さく設定されてもよい。
【０１１０】
以上の（１）〜（３）で説明したように、第１実施形態のプリンタ１には、操作ツマミ１７の、回動軸１８に平行な方向に関する両端部の離接動作をそれぞれ検出する、２つの感圧センサ２１，２２が設けられていることから、操作ツマミ１７の様々な挙動を検出することが可能となる。即ち、操作ツマミ１７の両端部が共に引っ張られた場合、又は、両端部が共に押し込まれた場合、あるいは、両端部の一方が引っ張られた場合、又は、一方が押し込まれた場合など、それぞれ区別して検出できる。このような操作ツマミ１７の複数の離接動作を区別して検出できることで、これら複数の動作状態に対して、前記（１）〜（３）のような複数の処理（画像の記録、記録のキャンセル、記録枚数の増減、画像回転）をそれぞれ割り当てることができる。つまり、操作ツマミ１７を操作するだけで、ディスプレイ１３に画像表示されている１つの画像データに対して、様々な処理を行わせることが可能となる。
【０１１１】
以上説明した第１実施形態のプリンタ１によれば、次のような効果が得られる。
表示画像切替部３２は、ロータリーエンコーダ２０により検出された操作ツマミ１７の回動動作に関する情報（回動方向、回動角度、あるいは、回動速度）から、ユーザーが、ディスプレイ１３に画像表示させる画像データを送りたいのか、あるいは、戻したいのかを判断し、複数の画像データの順序に従って、表示画像データを切り替える。つまり、ユーザーが、本のページをめくるように板状の操作ツマミ１７を左右に回動させることで、その操作ツマミ１７の回動に応じた表示画像の送り／戻しを行わせることができる。従って、表示画像の切替のために操作ボタン１２等を用いた複雑な操作を行うことが不要であり、機器の操作が苦手なユーザーでも、本のページをめくるような感覚で表示画像を切り替えて、所望の画像をディスプレイ１３に表示させることが容易である。
【０１１２】
また、画像選択部３３は、操作ツマミ１７の離接動作を検出する第１、第２感圧センサ２１，２２の検出結果に基づいて、ディスプレイ１３に画像表示されている画像データを選択するか否かを決定し、選択した画像に対して画像記録処理等の処理を行う。従って、ユーザーは、操作ツマミ１７を回動させて所望の画像をディスプレイ１３に表示させた後に、さらに、この操作ツマミ１７を取付面６ａに対して離接する方向に操作（引っ張りや押し付けなど）するだけで、ディスプレイ１３に画像表示されている画像を容易に選択し、記録等の処理を行わせることができる。つまり、データ記録媒体７に記録されている複数の画像データから、記録等の処理を行いたい画像データを選択する際に、操作ツマミ１７以外の部分を操作する必要がないことから、機器の操作が苦手なユーザーでも、画像選択、及び、その後の処理をプリンタ１に行わせることが容易である。
【０１１３】
次に、前記第１実施形態に種々の変更を加えた変更形態について説明する。但し、前記実施形態とほぼ同じ構成を有するものについては、同じ符号を付して適宜その説明を省略する。
【０１１４】
１］第１実施形態では、操作ツマミ１７の回動速度が所定速度未満である場合に、表示画像切替部３２はディスプレイ１３に表示される画像を切り替え、回動速度が所定速度以上であるときには、表示画像切替部３２は、その動作は操作ツマミ１７を戻す動作であると判断して、画像切替を行わないように構成されている（図５参照）。しかし、操作ツマミ１７が、ページをめくるように一方向に小さい回動速度で回動された後、引き続いて、元の位置に戻すように逆方向に大きい回動速度で回動されたことが検出されたときに、表示画像切替部３２が、画像切替を行うように構成されていてもよい。つまり、操作ツマミ１７の一方向への遅い回動動作と、続いて行われる、逆方向への速い回動動作とを１組にして、表示画像切替部３２が、ユーザーから画像切替が指示されたことを認識するようにしてもよい（変更形態１）。
【０１１５】
図６に、この変更形態１の表示画像切替処理の処理内容を示す。図６に示すように、この変更形態１の表示画像切替処理において、操作ツマミ１７が待機位置にあるときに、ディスプレイ１３に画像フォルダ名を表示させる点は前記第１実施形態と同じである（処理項目Ａ）。
【０１１６】
一方、所定速度未満のゆっくりした速度（回動速度：小）で右方に回動された後、所定速度以上の速度（回動速度：大）で左方に回動されたときには、表示画像切替部３２は、ユーザーから、表示画像を送ることが要求されていると判断して、ディスプレイ１３に表示させる画像を１つ後の画像に切り替える（処理項目Ｂ）。また、所定速度未満のゆっくりした速度（回動速度：小）で左方に回動された後、所定速度以上の速度（回動速度：大）で右方に回動されたときには、表示画像切替部３２は、ユーザーから、表示画像を戻すことが要求されていると判断して、ディスプレイ１３に表示させる画像を１つ後の画像に切り替える（処理項目Ｃ）。
【０１１７】
２］ユーザーによって表示画像を切り替えるために操作ツマミ１７が回動される途中に、表示画像切替部３２が、ロータリーエンコーダ２０で検出された操作ツマミ１７の回動角度情報に基づいて、切り替えられる前後の画像データを合成し、その合成画像をディスプレイ１３に表示させるように構成されていてもよい（変更形態２）。
【０１１８】
その具体例を、図７〜図９を参照して説明する。図７に示すように、ディスプレイ１３に、ある画像データの画像４０（風景写真）が表示されているとする。この状態から、ユーザーによって、操作ツマミ１７が、所定速度未満のゆっくりした速度で右方へ回動されると、図８に示すように、表示画像切替部３２は、ディスプレイ１３に表示させる画像を、次の人物写真の画像４１に切り替える。
【０１１９】
このとき、表示画像切替部３２は、前に表示されていた風景写真の画像データと、後の人物写真の画像データとを、ロータリーエンコーダ２０で検出された操作ツマミ１７の回動角度に応じて合成し、切替途中を示す合成画像データを生成した後、この合成画像データの画像をディスプレイ１３に表示させる。即ち、図８、図９に示すように、操作ツマミ１７の回動角度に応じて、切替前後の画像４０，４１のディスプレイ１３上における占有面積が変化した合成画像を表示させる。そして、操作ツマミ１７の右方への回動に従って、後の人物写真の画像４１が左方から現れ、それによって、前に表示されていた風景写真の画像４０が右方へ追いやられるように、ディスプレイ１３上で、画像４０，４１が左から右へスライドするような感覚を与えるようにする。
【０１２０】
この構成によれば、ユーザーに対して、操作ツマミ１７の回動に連動して表示画像が切り替えられる感覚を与えることができる。また、ユーザーは、操作ツマミ１７を一方向に少し回動させるだけで、その回動方向に応じて切替られる画像を確認できる。そのため、画像を送る場合、又は、画像を戻す場合の操作ツマミ１７の回動方向を、ユーザーが容易に認識することができるようになる。
【０１２１】
３］表示画像切替部３２が、ディスプレイ１３に仮想的な冊子本の画像を表示させるとともに、ユーザーによって操作ツマミ１７が回動されたときには、その回動によって切り替えられる画像を、開いた状態の冊子本の中に表示させるようにしてもよい（変更形態３）。
【０１２２】
図１０（ａ）に示すように、操作ツマミ１７が取付面６ａ上で待機している状態では、表示画像切替部３２は、ディスプレイ１３に、閉じた状態の冊子本４２の画像を表示させる。そして、図１０（ｂ）に示すように、ユーザーにより操作ツマミ１７の回動がなされた場合には、表示画像切替部３２は、開いた状態の冊子本４２の画像データと、操作ツマミ１７の回動動作に対応して切り替えられる画像データとを合成し、開いた状態の冊子本４２の中に画像データの画像４３が挿入された、合成画像をディスプレイ１３に表示させる。つまり、操作ツマミ１７を左右に回動させると、その回動に応じて、ディスプレイ１３内の冊子本４２のページがめくられていき、同時に、冊子本４２内の画像４３も操作ツマミ１７の回動動作に応じた画像に切り替えられる。これにより、ユーザーが操作ツマミ１７を回動操作したときに、冊子本４２のページをめくる感覚をユーザーに与えることができる。
【０１２３】
また、図１０に示すように、ディスプレイ１３に表示される冊子本４２の、閉じた状態から開くときの方向と、操作ツマミ１７が取付面６ａ上で待機している状態から回動するときの回動方向とが、同じ方向（図１０における右方）であることが好ましい。この場合、操作ツマミ１７が待機状態から回動するときの回動方向が、ディスプレイ１３に表示される仮想的な冊子本４２が開く方向と一致しているため、画像を送る場合の操作ツマミ１７の回動方向を、ユーザーが容易に認識することができるようになる。即ち、ディスプレイ１３に表示されている冊子本４２が図１０（ａ）のように右開き本であれば、画像を送る場合には、冊子本４２のページ送りの方向、つまり、右方に操作ツマミ１７を回動させればよいということが、ユーザーによって容易に想到される。
【０１２４】
４］操作ツマミ１７の離接動作に対する画像選択部３３の処理の割り付けは、前記第１実施形態の図５に示すものに限られない。例えば、図５における、処理項目Ａ，Ｂと、処理項目Ｃ〜Ｆにおける、操作ツマミ１７の動作と処理内容を逆にしてもよい（変更形態４）。
【０１２５】
即ち、操作ツマミ１７が取付面６ａから離れるように引っ張られたとき（第１感圧センサ２１“−”、第２感圧センサ２２“−”）には、ディスプレイ１３に表示されている画像データの記録枚数を増加させ、逆に、操作ツマミ１７が取付面６ａに押し付けられたとき（第１感圧センサ２１＋、第２感圧センサ２２＋）には、ディスプレイ１３に表示されている画像データの記録枚数を減少させるようにしてもよい。
【０１２６】
また、操作ツマミ１７が回動軸１８の下端へ向けて引っ張られたとき（第１感圧センサ２１“変化なし”、第２感圧センサ２２“−”）には、現在表示されている画像データを選択し、記録ヘッド２にその画像を記録させるようにする。さらに、このようにして一旦画像データが選択された後に、操作ツマミ１７が回動軸１８の上端へ向けて引っ張られたとき（第１感圧センサ２１“−”、第２感圧センサ２２“変化なし”）には、先に行った画像データの選択（画像記録）をキャンセルするようにしてもよい。
【０１２７】
また、画像選択部３３が、選択した画像データに施す処理（処理内容）は、図５に示されている、画像記録、記録枚数増減、あるいは、画像回転に限られるものではない。例えば、ディスプレイ１３に表示させる際の色の濃度を変える、あるいは、画像を拡大／縮小して表示させるといった処理を、選択した画像データに施してもよい。
【０１２８】
５］前記第１実施形態では、データ記録媒体７に複数の画像フォルダ（画像データ群）がある場合には、ユーザーが、操作ボタン１２等の、操作ツマミ１７以外の部分を操作することにより、複数の画像フォルダから所望の画像フォルダが選択され、その選択された画像フォルダに属する画像データがディスプレイ１３に表示されるようになっていた。しかし、この画像フォルダの選択も、操作ツマミ１７を操作することによって選択可能に構成されてもよい（変更形態５）。
【０１２９】
例えば、図１１に示すように、操作ツマミ１７が取付面６ａに載置された待機状態にあるときに、ユーザーが、操作ツマミ１７の中央部、上端部、及び、下端部をそれぞれ押圧することで、所望の画像フォルダを選択するように構成されてもよい。
【０１３０】
まず、データ記録媒体７には複数の画像フォルダが、画像フォルダ名（例えば、アルファベット順）や画像フォルダの作成日時といった、ある所定の条件に基づいて、所定の順序に従って格納されているとする。そして、このデータ記録媒体７がプリンタ１に接続されると、表示画像切替部３２は、複数の画像フォルダのうちの最初の画像フォルダの名前をディスプレイ１３に表示させる。
【０１３１】
次に、ロータリーエンコーダ２０により、操作ツマミ１７が待機位置にあることが検出されている状態で、図１１の矢印ａで示されるように、ユーザーによって操作ツマミ１７の中央部が押圧されると、図１２に示すように、第１感圧センサ２１と第２感圧センサ２２の両方において、押圧力が増加したことが検出される。これにより、表示画像切替部３２は、待機位置にある操作ツマミ１７の中央部が押圧されたことを認識し、現在ディスプレイ１３に表示されている画像フォルダを、画像表示の対象となる画像フォルダとして選択する（図１２の処理項目Ａ）。
【０１３２】
また、図１１の矢印ｂで示されるように、操作ツマミ１７の上端部が押圧されると、図１２に示すように、第１感圧センサ２１においてのみ押圧力が増加したことが検出される。これにより、表示画像切替部３２は、待機位置にある操作ツマミ１７の上端部が押圧されたことを認識し、ディスプレイ１３に表示される画像フォルダの名前を、現在表示されているフォルダよりも１つ前の画像フォルダに切り替える（処理項目Ｂ）。
【０１３３】
逆に、図１１の矢印ｃで示されるように、操作ツマミ１７の下端部が押圧されると、図１２に示すように、第２感圧センサ２２においてのみ押圧力が増加したことが検出される。これにより、表示画像切替部３２は、待機位置にある操作ツマミ１７の下端部が押圧されたことを認識し、ディスプレイ１３に表示される画像フォルダを、現在表示されているフォルダよりも１つ後の画像フォルダに切り替える。
【０１３４】
このようにして表示される画像フォルダ名が切り替えられた後、操作ツマミ１７の中央部が押圧されると、表示画像切替部３２は、現在ディスプレイ１３に表示されている画像フォルダを、画像表示の対象となる画像フォルダとして選択する。以上のようにして画像フォルダが選択された後に、ユーザーによって操作ツマミ１７が回動されたことがロータリーエンコーダ２０により検出されると、表示画像切替部３２は、選択された画像フォルダに属する複数の画像データの画像のうち、最初の画像データをディスプレイ１３に表示させる。
【０１３５】
この構成によれば、データ記録媒体７に複数の画像フォルダが記録されている場合に、操作ツマミ１７を操作するだけで、画像表示したい画像データが属する画像フォルダを選択することができ、操作ツマミ１７以外の部分を操作する必要がない。
【０１３６】
６］前記第１実施形態では、操作ツマミ１７の回動軸１８の両端部に２つの感圧センサ２１，２２がそれぞれ設けられているが、一方の感圧センサを省略してもよい（変更形態６）。例えば、図１３に示すように、回動軸１８の上端部と取付面６ａとの間にのみ感圧センサ２１が設けられてもよい。このように、感圧センサ２１が１つである場合には、操作ツマミ１７の離接動作としては、取付面６ａから引っ張られたときの離間動作（図１３の矢印ａ）と、取付面６ａに押し付けられたときの接近動作（図１３の矢印ｂ）の２種類が検出可能である。従って、これら２種類の離接動作に対して、画像選択部３３の処理内容（画像記録や記録枚数増減等）を割り付けることができる。
【０１３７】
例えば、操作ツマミ１７が取付面６ａから離れるように引っ張られたことが、感圧センサ２１により検出されたときには（押圧力減少）、画像選択部３３は、現在ディスプレイ１３に表示されている画像データを、記録制御部３０で制御される記録ヘッド２により、印刷用紙Ｐに記録させる。また、画像が選択された後で、操作ツマミ１７が取付面６ａに押し付けられたことが、感圧センサ２１により検出されたときには（押圧力増加）、画像選択部３３は、先に行った画像データの選択（画像記録）をキャンセルする。
【０１３８】
７］逆に、操作ツマミ１７の回動軸１８に、回動軸１８に沿って３以上の複数の感圧センサが設けられてもよい（変更形態７）。この場合には、操作ツマミ１７の、さらに複雑な離接動作を検出することが可能になり、ディスプレイ１３に表示された画像を選択してから、その選択した画像データに対してより多くの処理を行うことが可能になる。
【０１３９】
８］前記第１実施形態では、ユーザーによる操作ツマミ１７の回動に基づいて、表示画像切替部３２がディスプレイ１３に表示される画像を切り替えた後、ユーザーにより操作ツマミ１７が取付面６ａに引っ張られ、又は、取付面６ａに押し付けられたときの、操作ツマミ１７の離接動作に基づいて、画像選択部３３がディスプレイ１３に表示されている画像データを選択している。しかし、操作ツマミ１７は、あくまでも、表示画像を切り替えるためだけに操作されるものとし、ディスプレイ１３に表示されている画像データを選択する場合には、プリンタ１に設けられた、操作ツマミ１７とは別の部材（例えば、図１に示される操作ボタン１２）が操作されるようにしてもよい（変更形態８）。
【０１４０】
９］前記第１実施形態の操作ツマミ１７は、その右端部に回動軸１８が設けられて待機状態から右方に開く、右開き本に対応したものであるが、左開き本に対応して、その左端部に回動軸１８が設けられて、待機状態から左方に開くように構成されてもよい（変更形態９）。
【０１４１】
１０］前記第１実施形態では、取付面６ａにディスプレイ１３と操作ツマミ１７が並んで設けられていたが、ディスプレイ１３を凹部１５内に収容された操作ツマミ１７の上面に設けてもよい（変更形態１０）。この場合、ユーザーは操作ツマミ１７を回動させることで、本のページをめくる感覚をよりリアルに感じることができるので、所望の画像をディスプレイ１３に表示させることがより容易になる。
【０１４２】
＜第２実施形態＞
次に、本発明の第２実施形態について説明する。図１４は、第２実施形態のプリンタ１の電気的構成を示すブロック図、図１５は、第２実施形態の操作ツマミ１７の斜視図である。この第２実施形態においては、操作ツマミ１７の離接動作を検出する検出手段として、メカニカルスイッチが用いられている。尚、以下の説明において、第１実施形態と同様の構成については、同じ符号を付して適宜その説明を省略する。
【０１４３】
図１５に示すように、矩形板状の操作ツマミ１７の回動軸１８が、その両端部において２つの軸受１９に回転自在に支持されており、操作ツマミ１７は、回動軸１８を中心に取付面６ａに対して回動可能である。回動軸１８の上端部には、操作ツマミ１７の回動動作（回動方向、回動角度、回動速度等）を検出するロータリーエンコーダ２０が取り付けられている。また、回動軸１８の上端部と下端部をそれぞれ支持する２つの軸受１９と取付面６ａとの間には、２つのメカニカルスイッチ（第１メカニカルスイッチ５１、第２メカニカルスイッチ５２）がそれぞれ設けられている。さらに、回動軸１８は図示しないバネ等の付勢手段によって取付面６ａ側に付勢されており、回動軸１８に設けられた２つの軸受１９が２つのメカニカルスイッチ５１，５２にそれぞれ押し付けられている。
【０１４４】
操作ツマミ１７が操作されていない状態では、回動軸１８がバネ等により取付面６ａに押し付けられており、メカニカルスイッチ５１，５２はＯＮの状態である。その状態から、操作ツマミ１７が、取付面６ａから離れる方向に引っ張られると、メカニカルスイッチ５１，５２はＯＦＦになる。つまり、これら２つのメカニカルスイッチ５１，５２が、操作ツマミ１７の、取付面６ａからの離間／接近動作（離接動作）を検出する、離接動作検出手段に相当する。
【０１４５】
この第２実施形態においても、ユーザーにより、板状の操作ツマミ１７が本をめくるのと同じような感覚で回動されたときには、その回動動作がロータリーエンコーダ２０で検出され、その回動動作に応じて、ディスプレイ１３に表示される画像が切り替えられるようになっている。この表示画像の切替については、第１実施形態と同様であるので詳細な説明は省略する。
【０１４６】
さらに、ユーザーにより、板状の操作ツマミ１７が取付面６ａから引っ張られる、あるいは、押し付けられたときには、その動作（離接動作）が２つのメカニカルスイッチ５１，５２で検出され、その離接動作に応じて、ディスプレイ１３に表示された画像データが選択される。
【０１４７】
この画像選択部３３による画像選択処理について図１６を参照して説明する。図１６に示すように、２つのメカニカルスイッチ５１，５２により、引張（図１６の処理項目Ａ）、斜め下向き（手前側）への引張（処理項目Ｂ）、斜め上向き（向こう側）への引張（処理項目Ｃ）という、ユーザーによる操作ツマミ１７の操作がそれぞれ検出可能である。
【０１４８】
操作ツマミ１７が待機位置からある角度回動した状態で、ユーザーによって、回動軸１８と直交する方向に、操作ツマミ１７が取付面６ａから離れるように引っ張られると、２つのメカニカルスイッチ５１，５２の両方が、共に、ＯＮ→ＯＦＦになり、画像選択部３３は、操作ツマミ１７が引っ張られたことを認識する。このとき、画像選択部３３は、現在ディスプレイ１３に画像表示されている画像データを選択し、記録制御部３０に対して、その画像の記録開始を指示する信号を送る（処理項目Ａ）。すると、記録制御部３０は、記録ヘッド２と搬送機構３とを制御して、表示されている画像データの画像を印刷用紙Ｐに記録する。
【０１４９】
また、ユーザーによって、操作ツマミ１７が、回動軸１８の下端に向けて、取付面６ａから離れるように斜め下向き（手前側）へ引っ張られると、回動軸１８の下端部に設けられた第２メカニカルスイッチ５２がＯＮ→ＯＦＦとなる。一方、回動軸１８の上端部に設けられた第１メカニカルスイッチ５１は、ＯＮのままである。これにより、画像選択部３３は、操作ツマミ１７が斜め下向きに引っ張られたことを認識する。すると、画像選択部３３は、現在ディスプレイ１３に画像表示されている画像データを選択するとともに、記録ヘッド２により、この画像データを印刷用紙Ｐに記録する際の記録枚数を１枚増加させる（処理項目Ｂ）。
【０１５０】
さらに、ユーザーによって、操作ツマミ１７が、回動軸１８の上端に向けて、取付面６ａから離れるように斜め上向き（向こう側）へ引っ張られると、回動軸１８の上端部に設けられた第１メカニカルスイッチ５１がＯＮ→ＯＦＦとなる。一方、回動軸１８の下端部に設けられた第２メカニカルスイッチ５２は、ＯＮのままである。これにより、画像選択部３３は、操作ツマミ１７が斜め上向きに引っ張られたことを認識する。すると、画像選択部３３は、現在ディスプレイ１３に画像表示されている画像データを選択するとともに、記録ヘッド２により、この画像データを印刷用紙Ｐに記録する際の記録枚数を１枚減少させる（処理項目Ｃ）。
【０１５１】
このように、２つのメカニカルスイッチ５１，５２によって操作ツマミ１７の離接動作が検出されることから、これらメカニカルスイッチ５１，５２の検出結果に基づいて、画像選択部３３は、ディスプレイ１３に画像表示されている画像データを選択することができる。また、操作ツマミ１７の回動軸１８と平行な方向に関する両端部の離接動作をそれぞれ検出する、２つのメカニカルスイッチ５１，５２が設けられていることで、操作ツマミ１７の複数の離接動作を区別して検出でき、これら複数の離接動作に対して、選択された画像データに対する複数種類の処理をそれぞれ割り当てることができる。
【０１５２】
尚、操作ツマミ１７の離接動作に対する画像選択部３３の処理の割り付けは、図１６に示す形態に限られない。例えば、画像選択部３３は、操作ツマミ１７が斜め下向き（手前側）に引っ張られたことが検出されたときに、画像を選択して記録ヘッド２に印刷用紙Ｐへの記録を行わせるとともに、操作ツマミ１７が斜め上向き（向こう側）に引っ張られたことが検出されたときには、画像の記録をキャンセルするように構成されてもよい。
【０１５３】
＜第３実施形態＞
次に、本発明の第３実施形態について説明する。図１７は、第３実施形態のプリンタ１の電気的構成を示すブロック図、図１８は、第３実施形態の操作ツマミ１７の斜視図である。この第３実施形態においては、操作ツマミ１７の回動動作と離接動作の両方を検出する検出手段として、加速度センサが用いられている。尚、以下の説明において、第１実施形態と同様の構成については、同じ符号を付して適宜その説明を省略する。
【０１５４】
図１８に示すように、取付面６ａには、矩形板状の操作ツマミ１７が回動軸１８を介して回動可能に取り付けられている。また、この操作ツマミ１７の表面には、加速度センサ６０が設けられている。尚、回動軸１８の両端部に設けられた２つの軸受１９と取付面６ａとの間には、弾性部材６１が介装されている。
【０１５５】
加速度センサ６０は、操作ツマミ１７の回動動作（回動方向、回動角度、及び、回動速度）と、操作ツマミ１７の取付面６ａに対する離接動作（離間及び接近）の、両方を検出可能である。つまり、図３に示される前記第１実施形態において、ロータリーエンコーダ２０により検出される操作ツマミ１７の回動動作と、２つの感圧センサ２１，２２により検出される操作ツマミ１７の離接動作とが、この第３実施形態では、１つの加速度センサ６０で検出可能となっている。即ち、この加速度センサ６０が、回動動作検出手段と離接動作検出手段の両方を兼ねている。
【０１５６】
また、加速度センサ６０は、前記第１実施形態の２つの感圧センサ２１，２２と同様に、操作ツマミ１７の複数の離接動作（取付面６ａからの引張、取付面６ａへの押し付け、斜め下向きへの引張、斜め上向きへの引張、操作ツマミ１７の面内回転等）をそれぞれ検出可能である。従って、これら複数の離接動作に対して、画像選択部３３により実行される複数の処理（例えば、第１実施形態の図５参照）を割り付けることができる。つまり、操作ツマミ１７を操作するだけで、ディスプレイ１３に画像表示されている１つの画像データに対して、様々な処理を行わせることが可能となる。
【０１５７】
＜第４実施形態＞
次に、本発明の第４実施形態について説明する。図１９は、第２実施形態のプリンタ１の電気的構成を示すブロック図、図２０は、第４実施形態の操作ツマミ１７の斜視図、図２１は操作ツマミ１７の断面図である。この第４実施形態においては、操作ツマミ１７の回動動作と離接動作の両方を検出する検出手段として、圧電素子が用いられている。尚、以下の説明において、第１実施形態と同様の構成については、同じ符号を付して適宜その説明を省略する。
【０１５８】
図２０に示すように、取付面６ａには、操作ツマミ１７が取り付けられる金属製の取付部７５が固定されている。また、矩形板状の操作ツマミ１７の短手方向一端部には、操作ツマミ１７の長辺方向（回動軸方向）に沿って並べて配置された、２つの素子配置部（第１素子配置部７６、第２素子配置部７７）からなる連結部７８が設けられている。また、２つの素子配置部７６，７７の間には切欠部７９が設けられており、２つの素子配置部７６，７７は、操作ツマミ１７の長辺方向に関して互いに離間した状態で配置されている。尚、操作ツマミ１７と２つの素子配置部７６，７７は、ステンレス鋼等の金属材料によって一体成形されている。また、２つの素子配置部７６，７７の、操作ツマミ１７とは反対側の端部は、取付面６ａに固定された取付部７５に連結固定されており、２つの素子配置部７６，７７からなる連結部７８を介して、操作ツマミ１７が取付部７５（取付面６ａ）に連結されている。
【０１５９】
図２１に示すように、連結部７８を構成する２つの素子配置部７６，７７の厚みは、それぞれ、操作ツマミ１７の厚みよりも小さくなっている。そして、図２０に示すように、厚みの小さい２つの素子配置部７６，７７が曲げ変形する（撓む）ことにより、操作ツマミ１７は、取付面６ａに平行な回動軸Ｃを中心に回動可能に構成されている。また、取付面６ａには、操作ツマミ１７が待機位置にあるか否かを検出する位置検出センサ７０（図１９参照）が設けられている。この位置検出センサ７０は、例えば、操作ツマミ１７が取付面６ａに載置されたときに接触することにより、操作ツマミ１７を検出する、接触式のものを用いることができる。また、発光素子と受光素子とを備えた光学式センサを採用することもできる。
【０１６０】
第１、第２素子配置部７６，７７の上面（表面）には２つの圧電素子（第１圧電素子７１、第２圧電素子７２）がそれぞれ設けられている。２つの圧電素子７１，７２は、それぞれ、素子配置部７６，７７の上面に配置された圧電層７３と、この圧電層７３の上面に形成された検出電極７４とを有する。
【０１６１】
圧電層７３は、例えば、チタン酸鉛とジルコン酸鉛との固溶体であり強誘電体であるチタン酸ジルコン酸鉛（ＰＺＴ）を主成分とする圧電材料からなり、平面視で略矩形状に形成されている。圧電層７３は、例えばエアロゾルデポジション法によって形成される。また、この圧電層７３は厚み方向に分極されている。検出電極７４は、金、銅、銀、パラジウム、白金、あるいは、チタンなどの導電性材料で形成されている。
【０１６２】
前述したように、圧電層７３が配置されている素子配置部７６，７７は導電性を有する金属材料からなるが、これら２つの素子配置部７６，７７は、同じく導電性を有する取付部７５を介して、常に所定の基準電位が付与されている。つまり、金属製の素子配置部７６，７７は、検出電極７４と圧電層７３を挟んで対向するとともに、圧電層７３の下面を常に基準電位に保持する基準電極を兼ねている。
【０１６３】
そして、ユーザーによって操作ツマミ１７が操作されて素子配置部７６，７７が曲げられると、その素子配置部７６，７７の曲げ変形に伴って圧電素子７１，７２の圧電層７３に歪みが生じることで、素子配置部７６，７７の変形に応じた電圧が、圧電素子７１，７２に生じる。また、圧電層７３が面方向に圧縮されたときには圧電素子７１，７２には負の電圧が生じ、圧電層７３が面方向に伸張されたときには圧電素子７１，７２には正の電圧が生じる。
【０１６４】
尚、「負の電圧」とは、検出電極２８の電位が、基準電極としての素子配置部７６，７７の電位（基準電位）よりも低い状態を示し、「正の電圧」とは、検出電極２８の電位が素子配置部７６，７７の電位よりも高い状態を指す。また、素子配置部７６，７７の曲げ変形の速度が速く、圧電素子７１，７２の圧電層７３が短い時間で圧縮又は伸張されるほど、圧電素子７１，７２に発生する電圧値（絶対値）は大きくなる。そして、２つの圧電素子７１，７２から出力された電圧信号（即ち、電圧の正負、及び、電圧値）に基づいて、制御装置４（表示画像切替部３２、及び、画像選択部３３）が操作ツマミ１７の動作（回動動作及び離接動作）を認識する。
【０１６５】
（表示画像切替処理）
表示画像切替部３２は、圧電素子７１，７２から出力された信号に基づいて、操作ツマミ１７が回動されたことを認識したときには、ディスプレイ１３に画像表示させる画像データを切り替える。
【０１６６】
図２２に、表示画像切替処理の処理内容を示す。位置検出センサ７０により操作ツマミ１７が待機位置にあることが検出されている状態では、２つの素子配置部７６，７７に曲げ変形が生じていないため、２つの圧電素子７１，７２の圧電層７３には歪みが生じておらず、圧電素子７１，７２に電圧は発生しない。このとき、表示画像切替部３２は、ディスプレイ１３に画像フォルダ名を表示させる（処理項目Ａ）。
【０１６７】
一方、ユーザーにより、操作ツマミ１７が右方へ回動されたときには、第１素子配置部７６と第２素子配置部７７の両方の曲率が共に大きくなり（曲率半径が小さくなり）、図２２の処理項目Ｂに示すように、第１圧電素子７１と第２圧電素子７２の両方の圧電層７３がそれぞれ圧縮され、これら圧電素子７１，７２（検出電極７４と素子配置部７６，７７との間）に負の電圧（−）が発生する。これにより、表示画像切替部３２は、操作ツマミ１７が右方へ回動されたことを認識し、ディスプレイ１３に画像表示させる画像データを１つ後のデータに切り替える。
【０１６８】
また、操作ツマミ１７が左方へ回動されたときには、第１素子配置部７６と第２素子配置部７７の両方の曲率が共に小さくなり（曲率半径が大きくなり）、図２２の処理項目Ｃに示すように、第１圧電素子７１と第２圧電素子７２の両方の圧電層７３がそれぞれ伸張され、これら圧電素子７１，７２に正の電圧（＋）が発生する。これにより、表示画像切替部３２は、操作ツマミ１７が左方へ回動されたことを認識し、ディスプレイ１３に表示させる画像データを１つ前のデータに切り替える。
【０１６９】
但し、操作ツマミ１７が所定速度未満のゆっくりした速度で回動されて、圧電素子７１，７２で発生する電圧が所定値未満である場合（発生電圧：低）にのみ、表示画像切替部３２は、ディスプレイ１３に表示させる画像を切り替える（処理項目Ｂ，Ｃ）。一方、操作ツマミ１７が所定速度以上の速い速度で回動されて、圧電素子７１，７２で発生する電圧が所定値以上である場合（発生電圧：高）には、表示画像切替部３２は、操作ツマミ１７は単に戻されただけであると判断して、表示画像の切替を行わない（処理項目Ｄ，Ｅ）。
【０１７０】
（画像選択処理）
画像選択部３３は、圧電素子７１，７２から出力された信号に基づいて操作ツマミ１７の離接動作を認識したときには、ディスプレイ１３に表示されている画像を選択するか否かを決定する。
【０１７１】
図２３に、画像選択処理の処理内容を示す。ユーザーにより、操作ツマミ１７が、回動軸Ｃの一方（下端）に向けて、取付面６ａから離れるように斜め下向き（手前側）に引っ張られたときには、第１素子配置部７６の曲率は小さくなる（曲率半径が大きくなる）一方で、第２素子配置部７７の曲率が大きくなる（曲率半径が小さくなる）。すると、第１圧電素子７１の圧電層７３が伸張されて正の電圧（＋）が発生すると同時に、第２圧電素子７２の圧電層７３が圧縮されて負の電圧（−）が発生する。これにより、画像選択部３３は、操作ツマミ１７が斜め下向きに引っ張られたことを認識し、記録制御部３０に信号を出力して、記録ヘッド２に、ディスプレイ１３に画像表示されている画像データを印刷用紙Ｐに記録させる。
【０１７２】
また、上述したように、表示画像の記録開始の指示がなされた後で、ユーザーにより、操作ツマミ１７が、回動軸Ｃの他方（上端）に向けて、取付面６ａから離れるように斜め上向き（向こう側）に引っ張られたときには、第１素子配置部７６の曲率が大きくなる（曲率半径が小さくなる）一方で、第２素子配置部７７の曲率は小さくなる（曲率半径が大きくなる）。すると、第１圧電素子７１の圧電層７３が圧縮されて負の電圧（−）が発生すると同時に、第２圧電素子７２の圧電層７３が伸張されて正の電圧（＋）が発生する。これにより、画像選択部３３は、操作ツマミ１７が斜め上向きに引っ張られたことを認識し、先に行った画像記録を中止する。
【０１７３】
あるいは、操作ツマミ１７が斜め下向きに引っ張られたことが検出されたときに、画像選択部３３は、ディスプレイ１３に表示されている画像の記録枚数を増加（又は、減少）させ、逆に、操作ツマミ１７が斜め上向きに引っ張られたことが検出されたときに、記録枚数を減少（又は、増加）させてもよい。
【０１７４】
この第４実施形態においては、２つの圧電素子７１，７２により、操作ツマミ１７の回動動作と操作ツマミ１７の回転軸方向に向けての引張動作をそれぞれ検出可能である。従って、操作ツマミ１７を操作するだけで、ディスプレイ１３に表示させる画像を切り替えるとともに、ディスプレイ１３に画像表示された画像データに対して、画像の記録等の様々な処理を行わせることが可能となる。
【０１７５】
また、素子配置部７６，７７の厚みは、操作ツマミ１７の厚みよりも小さくなっている。さらに、２つの圧電素子７１，７２が配置される、２つの素子配置部７６，７７は、回動軸Ｃの方向に関して隙間を空けて離間している。従って、操作ツマミ１７が操作されたときに、各々の素子設置部７６，７７の変形量が大きくなる。そのため、２つの圧電素子７１，７２による操作ツマミ１７の動作検出をより正確に行うことが可能になり、誤検出が防止される。
【０１７６】
また、連結部７８を構成する２つの素子配置部７６，７７が金属材料で形成されているため、連結部７８の繰り返し曲げに対する疲労強度が高くなり、耐久性が向上する。また、連結部７８が導電性を有することから、連結部７８を圧電素子７１，７２の基準電極として用いることができる。
【０１７７】
この第４実施形態に対して、さらに、以下のような変更を加えることが可能である。
図２４に示すように、２つの圧電素子７１，７２がそれぞれ配置される、連結部７８の２つの素子配置部７６，７７の間に切欠部７９（図２０参照）が形成されておらず、２つの素子配置部７６，７７が、回動軸Ｃの方向に関して繋がっていてもよい。この場合には、２つの素子配置部７６，７７が隙間を空けて離間している場合と比較して、操作ツマミ１７が操作されたときの各々の素子配置部７６，７７に生じる変形は小さくなる。しかし、連結部７８全体の強度が高くなるため、耐久性が向上する。
【０１７８】
また、図２５に示すように、連結部７８の素子配置部７６，７７の裏面に圧電素子７１，７２が配置されていてもよい。この場合には、ユーザーが操作ツマミ１７を操作する際などに、ユーザーの手や操作ツマミ１７の周囲に存在する部材等が圧電素子７１，７２に接触しにくくなるため、圧電素子７１，７２が損傷しにくい。
【０１７９】
さらに、連結部７８に配置される圧電素子の数は２つに限られるものではなく、３以上の複数の圧電素子が、回動軸方向に互いに離間して配置されてもよい。
【０１８０】
また、操作ツマミ１７と連結部７８が、導電性を有する材料で形成されている必要性は特にない。但し、連結部７８が絶縁性材料で形成されている場合には、この連結部７８と圧電層７３との間に、導電性材料からなる基準電極が設けられる。
【０１８１】
＜第５実施形態＞
以上説明した第１〜第４実施形態は、自ら画像を被記録媒体に記録するプリンタに本発明を適用したときの実施形態であるが、プリンタや大画面表示装置等の画像処理装置に画像データを出力する、画像出力装置に本発明を適用することもできる。
【０１８２】
この第５実施形態の画像出力装置の外観は、第１実施形態の図１に示した構成のうち、複数の操作ボタン１２、ディスプレイ１３、凹部１５、窪み１６、操作ツマミ１７、回動軸１８を備えたものとなる。また、電気的な構成の概略は、図２６に示すものとなる。即ち、第５実施形態の画像出力装置１００の構成は、図２に示された構成のうち、記録ヘッド２と搬送機構３が省かれ、記録制御部３０の代わりに、ユーザーに選択された画像データを、画像データ記憶部３１から出力する出力制御部８０が設けられた構成となる。そして、この画像出力装置を、プリンタや大画面表示装置等の画像処理装置１０１に接続すれば、ユーザーがディスプレイ１３上に選択した画像を、画像処理装置１０１により、印刷または大画面表示することが可能となるのである。
【図面の簡単な説明】
【０１８３】
【図１】本発明の第１実施形態に係るプリンタの外観斜視図である。
【図２】第１実施形態のプリンタの電気的構成を概略的に示すブロック図である。
【図３】第１実施形態の操作ツマミの斜視図である。
【図４】表示画像切替処理の処理内容を示す図である。
【図５】画像選択処理の処理内容を示す図である。
【図６】変更形態１の表示画像切替処理の処理内容を示す図である。
【図７】変更形態２の画像表示切替直前の状態を示す図であり、（ａ）は取付面を上から見た図、（ｂ）は取付面を面に平行な方向から見た図である。
【図８】変更形態２の画像表示切替途中の状態を示す図であり、（ａ）は取付面を上から見た図、（ｂ）は取付面を面に平行な方向から見た図である。
【図９】変更形態２の画像表示切替完了直前の状態を示す図であり、（ａ）は取付面を上から見た図、（ｂ）は取付面を面に平行な方向から見た図である。
【図１０】変更形態３の取付面を上から見た図であり、（ａ）は操作ツマミが待機している状態、（ｂ）は操作ツマミが回動している状態をそれぞれ示す。
【図１１】変更形態５の操作ツマミの斜視図である。
【図１２】変更形態５の画像フォルダ選択処理の処理内容を示す図である。
【図１３】変更形態６の操作ツマミの斜視図である。
【図１４】第２実施形態に係るプリンタの電気的構成を概略的に示すブロック図である。
【図１５】第２実施形態の操作ツマミの斜視図である。
【図１６】第２実施形態の画像選択処理の処理内容を示す図である。
【図１７】第３実施形態に係るプリンタの電気的構成を概略的に示すブロック図である。
【図１８】第３実施形態の操作ツマミの斜視図である。
【図１９】第４実施形態に係るプリンタの電気的構成を概略的に示すブロック図である。
【図２０】第４実施形態の操作ツマミの斜視図である。
【図２１】図２０の操作ツマミ、及び、連結部の断面図である。
【図２２】第４実施形態の表示画像切替処理の処理内容を示す図である。
【図２３】第４実施形態の画像選択処理の処理内容を示す図である。
【図２４】第４実施形態の変更形態の操作ツマミの斜視図である。
【図２５】第４実施形態の別の変更形態の操作ツマミ、及び、連結部の断面図である。
【図２６】第５実施形態の画像出力装置の電気的構成を概略的に示すブロック図である。
【符号の説明】
【０１８４】
１  プリンタ
２  記録ヘッド
３  搬送機構
４  制御装置
６  プリンタ本体
６ａ  取付面
１３  ディスプレイ
１７  操作ツマミ
１８  回動軸
２０  ロータリーエンコーダ
２１，２２  感圧センサ
３２  表示画像切替部
３３  画像選択部
４２  冊子本
５１，５２  メカニカルスイッチ
６０  加速度センサ
７１，７２  圧電素子
１００  画像出力装置
Ｐ  印刷用紙
【図１】
0004905287.tif 000002
【図２】
0004905287.tif 000003
【図３】
0004905287.tif 000004
【図４】
0004905287.tif 000005
【図５】
0004905287.tif 000006
【図６】
0004905287.tif 000007
【図７】
0004905287.tif 000008
【図８】
0004905287.tif 000009
【図９】
0004905287.tif 000010
【図１０】
0004905287.tif 000011
【図１１】
0004905287.tif 000012
【図１２】
0004905287.tif 000013
【図１３】
0004905287.tif 000014
【図１４】
0004905287.tif 000015
【図１５】
0004905287.tif 000016
【図１６】
0004905287.tif 000017
【図１７】
0004905287.tif 000018
【図１８】
0004905287.tif 000019
【図１９】
0004905287.tif 000020
【図２０】
0004905287.tif 000021
【図２１】
0004905287.tif 000022
【図２２】
0004905287.tif 000023
【図２３】
0004905287.tif 000024
【図２４】
0004905287.tif 000025
【図２５】
0004905287.tif 000026
【図２６】
0004905287.tif 000027